(57)【要約】      （修正有）【課題】床を均一に研磨して大小の凹凸に対応できる床磨き機と、床の深い傷や汚れも完全に取り除くことができる床磨き方法を提案する。【解決手段】車輪を備えて床の上を移動する機体にモータ20と、液吐出用パイプ40と液タンク50を配置し、上部にハンドル60を突出し、モータの動力を入力して回転する床と平行な副軸24に着脱自在にホイール30を支持する。ホイールを上下に昇降して接地圧力を調節し、垂直縦回転させることにより床を研磨する。【選択図】  図２
2005013284.tif 000002
【特許請求の範囲】
【請求項１】
車輪を備えて床の上を移動する機体に、
モータと、
このモータの動力を入力して回転する床と平行な水平回転軸と、
この水平回転軸に着脱自在に取り付けられて垂直縦回転するホイールと、
このホイールの接地圧力を調節する接地圧力調節手段と、
液を散布するパイプと、
このパイプに液を供給するタンクと、
を備えることを特徴とする床磨き機。
【請求項２】
前記接地圧力調節手段が、
前記ホイールを上下に昇降してその接地圧力を調節するものであることを特徴とする請求項１に記載の床磨き機。
【請求項３】
冷却水を散布しながら床の表面を研削する研削工程と、
光沢復元剤を散布しながら床の表面に光沢復元剤を塗布する塗布工程と、
からなることを特徴とする床磨き方法。
【請求項４】
前記研削工程が、
垂直縦回転するホイールを使用して行われ、
このホイールを粗削り用にして床の表面を粗削り研削する第１工程と、
中削り用にして床の表面を中削り研削する第２工程と、
仕上げ用にして床の表面を仕上げ削り研削する第３工程と、
からなることを特徴とする請求項３に記載の床磨き方法。
【発明の詳細な説明】
【０００１】
【発明の属する技術分野】
本発明は、床面を洗浄・研削する床磨き機と床磨き機を用いて行う床磨き方法に関する。
【０００２】
【発明が解決しようとする課題】
従来の床磨き機は、床面を磨くためのパッドやブラシを、縦の中央軸を軸に水平横回転、すなわち床面と平面平行に回転させて行っている。そのため、接地圧力が中央軸だけに掛かり、かつ前進するための推進力を出させるために接地圧力が前方に偏り、床面を均一な圧力で研磨することができなかった。
また、水平パッドやブラシが床面と面接触であるので、床面の大小の凹凸に対応できず、特に床の小さい傷や汚れに対応できず、それらを研磨して取り除くことができなかった。
【０００３】
さらに、従来の一般的床磨き方法は、床の表面を研削することなく、単に洗浄してワックス皮膜に付いた汚れを取り去った後、その上にワックスを重ね塗りして床の維持・管理を行っていた。
そして幾重にも重ね塗りされたワックスが変色した場合に、ワックスを溶剤で取り除き、ワックスを塗り直す方法をとっている。
このため、汚れがワックス皮膜の下や床材の中まで深く入ってしまった場合は、汚れを完全に取り除くことができず、床の修復工事を必要とし、床の維持・管理に多大な費用がかかるという問題を抱えていた。
【０００４】
そこで本発明は、床を均一に研磨して大小の凹凸に対応できる床磨き機と、床の深い傷や汚れも完全に取り除くことができる床磨き方法を提案することを目的になされたものである。
【０００５】
【課題を解決するための手段】
かかる目的を達成するために、本発明は以下のように構成した。
【０００６】
すなわち、本発明の床磨き機は、車輪を備えて床の上を移動する機体に、モータと、このモータの動力を入力して回転する床と平行な水平回転軸と、この水平回転軸に着脱自在に取り付けられて床面と垂直な縦回転をするホイールと、このホイールの接地圧力を調節する接地圧力調節手段と、液を散布するパイプと、このパイプに液を供給するタンクを備えることにより上記目的を達成した。
【０００７】
また、本発明の床磨き機は、前記接地圧力調節手段を、前記ホイールを上下に昇降可能としてその接地圧力を調節できるようにしたことを特徴とする。
【０００８】
また、本発明の床磨き方法は、ワックスなどを重ね塗りするのではなく、前段階として床の表面を研削する研削工程と、その後に光沢復元剤を散布しながら床の表面に光沢復元剤を塗布する塗布工程とからなることを特徴とする。
【０００９】
また、本発明の床磨き方法は、前記研削工程が、垂直縦回転するホイールを使用し、このホイールを粗削り用、中削り用、仕上げ削り用と用意し、それぞれのホイールに取替えながら床の表面を粗削りする第１研削工程と、中削りする第２研削工程と、仕上げ削りする第３研削工程とからなることを特徴とする。
【００１０】
【発明の実施の形態】
以下に図面を参照して、本発明の実施の形態について説明する。
【００１１】
図１と図２に、本発明を実施した床磨き機の外観図と内部の機構図を示す。
床磨き機は、機体１０の内部にモータ２０を設置し、前部にホイール３０と液吐出用パイプ４０と液タンク５０を配置し、上部にホイールを上下に昇降させる昇降用ハンドル６０を突出し、後部に手押し用の柄部７０、底部の左右に前輪８０と自由に方向の変わる後輪９０を備えている。
液吐出用パイプ４０は、ホイール３０の前方に配置し、電磁弁４１を介して液タンク５０に連通する。電磁弁４１を開くことで、液タンク５０に入った液が床面に散布される。
【００１２】
モータ２０は、入力プーリ２１を介して主軸２２を回転し、出力プーリ２３を介して副軸２４を回転する。
主軸２２は、両端を機体１０に軸支すると共に、左右のスイングアーム２５を片持ち支持する。スイングアーム２５は、先端に副軸２４を軸支する。
【００１３】
副軸２４は、着脱自在にホイール３０を支持し、水平に架設してホイール３０を従来の水平横回転でなく垂直縦回転させる。
これにより、従来の水平横回転の床磨き機では前方に偏っていた接地圧力が均一化され、床の全面を均一な圧力で研磨できるようになる。
また、従来の水平横回転の床磨き機では面接触していたホイール３０が機体１０の幅方向に線接触するので、大小の凹凸に対応できるようになり、特に小さな床の傷や汚れでも研磨して取り除くことができるようになる。
【００１４】
モータ２０は、モータスピードを低速回転から高速回転まで滑らかに変化させるインバータ制御方式のものを用い、ホイール３０の摩擦負荷変動に対して柔軟に対応できるようにする。
ホイール３０は、周面に多数の砥粒を有する砥石車で構成し、粗削り用には粗い砥粒の荒砥石車、中削り用には中程度の砥粒の中砥石車、仕上げ削り用には細かい砥粒の仕上げ砥石車を用いる。
【００１５】
ハンドル６０は、昇降バー６１を貫通するハンドル軸６２に取り付け、ハンドル軸６２の先端を、機体１０と一体の固定バー６３に設置したネジ座６４に螺合する。
ハンドル軸６２は、途中に上下のフランジ６５を設けて昇降バー６１を挟持する。
昇降バー６１は、両端から固定バー６３を貫通する昇降ロッド６６を垂下し、その先をリンクアーム６７を介して左右のスイングアーム２５に連結する。
【００１６】
これにより、ハンドル６０を左右にまわすと、ネジの作用によってハンドル軸が上下に昇降してフランジ６５で挟持された昇降バー６１を上下に昇降し、これに伴って昇降バー６１と一体の昇降ロッド６６が上下に昇降し、昇降ロッド６６の先端に接続するスイングアーム２５が主軸２２を軸に上下に旋回し、副軸２４と一体のホイール３０が上下に昇降してホイール３０の接地圧力を調節する。
【００１７】
本発明を実施した床磨き機は以上のような構成で、図３に示すように、床の維持・管理を行うときは、最初に床の粗削り研削作業を行い（１０１）、次に床の中削り研削作業を行い（１０２）、次に床の仕上げ削り研削作業を行い（１０３）、最後に塗布作業を行う（１０４）。
【００１８】
床の粗削り研削作業は、液タンク５０に冷却水を入れ、ホイール３０を荒砥石車にして行い、ハンドル６０を操作して粗削りの深さに応じてホイール３０の接地圧力を調節し、液吐出用パイプ４０から冷却水を散布しながら削りムラ、削り過ぎがないようにホイール３０を回転して床の表面を粗削り研削する。
【００１９】
床の中削り研削作業は、ホイール３０を中砥石車に交換して行い、ハンドル６０を操作して中削りの深さに応じてホイール３０の接地圧力を調節し、液吐出用パイプ４０から冷却水を散布しながらホイール３０を回転して床の表面を中削り研削する。
【００２０】
床の仕上げ削り研削作業は、ホイール３０を仕上げ砥石車に交換して行い、ハンドル６０を操作してホイール３０の接地圧力を調節し、液吐出用パイプ４０から冷却水を散布しながら研磨ムラ、研磨残しがないようにホイール３０を回転して床の表面を仕上げ削り研削する。
【００２１】
塗布作業は、液タンク５０に光沢復元剤を入れ、ホイール３０を織布線パッドに交換して行い、ハンドル６０を操作してホイール３０の接地圧力を調節し、液吐出用パイプ４０から光沢復元剤を散布しながら塗りムラ、カスレがないようにホイール３０を回転して床に光沢復元剤を塗布する。
【００２２】
【発明の効果】
以上説明したように、本発明の床磨き機は、ホイールを垂直にして縦回転させるので、接地圧力が均一化し、床の全面を均一な圧力で研磨できる。
また、ホイールが床面と線接触するので、床の大小の凹凸に対応でき、汚れが床の深部に入ってしまった場合でも研磨して取り除くことができる。
【００２３】
また、本発明の床磨き方法は、床の表面を研削してから光沢復元剤を塗布するので、汚れを完全に取り除いて床を元の状態に復元することができる。
このため、床の維持・管理に要する費用を大幅に低減でき、新築物件・既存物件に拘らず汎用の維持・管理システムとして広い範囲に適用できる。
【図面の簡単な説明】
【図１】本発明を実施した床磨き機の外観図である。
【図２】本発明を実施した床磨き機の内部の機構図である。
【図３】本発明を実施した床磨き方法の作業フローである。
【符号の説明】
１０          機体
２０          モータ
２１          入力プーリ
２２          主軸
２３          出力プーリ
２４          副軸
２５          スイングアーム
３０          ホイール
４０          液吐出用パイプ
４１          電磁弁
５０          液タンク
６０          ハンドル
６１          昇降バー
６２          ハンドル軸
６３          固定バー
６４          ネジ座
６５          フランジ
６６          昇降ロッド
６７          リンクアーム
７０          柄部
８０          前輪
９０          後輪
【図１】
2005013284.tif 000003
【図２】
2005013284.tif 000004
【図３】
2005013284.tif 000005